(57)【要約】【課題】ねじの締付け済みを目視で容易に確認することができる締付け済み表示機能を有するねじ用キャップを提供する。【解決手段】キャップ１０が、ねじ頭部２の角孔３に嵌合可能で上面中央にねじ締付工具嵌入用角凹部１０ｂが形成された角形嵌合部１０ａと、角形嵌合部１０ａの上端から半径方向外方に延びる一体の鍔部１０ｃとからなる。キャップ１０は、角形嵌合部１０ａがねじ頭部２の角穴３に嵌め込まれることによって、鍔部１０ｃがねじ頭部２の上面に当接する状態で保持される。キャップ１０は、ねじ締付けの際に角孔３に嵌入される締付工具２０により上記角凹部１０ｂを介して押圧されたとき、キャップ全体が角孔３の奥部へ押し込み可能となるようにエラストマー樹脂素材にて形成されていること。【選択図】図１
0003232778.tif 000002
【実用新案登録請求の範囲】
【請求項１】
外周面にねじ溝１ａが形成された軸部１と、上面中央にねじ締付工具嵌入用角孔３が穿設された頭部２とからなるねじのための締付け済み表示機能を有するねじ用キャップであって、ねじ頭部２の角孔３に嵌合可能で上面中央にねじ締付工具嵌入用角凹部１０ｂが形成された角形嵌合部１０ａと、角形嵌合部１０ａの上端から半径方向外方に延びる一体の鍔部４ｃとからなり、このキャップ１０は、角形嵌合部１０ａがねじ頭部２の角穴３に嵌め込まれることによって、鍔部１０ｃがねじ頭部２の上面に当接する状態で保持される一方、このキャップ１０は、ねじ締付けの際に角孔３に嵌入される締付工具２０により上記角凹部１０ｂを介して押圧されたとき、キャップ全体が角孔３の奥部へ押し込み可能となるようにエラストマー樹脂素材にて形成されていることを特徴とする締付け済み表示機能を有するねじ用キャップ。
【考案の詳細な説明】
【技術分野】
【０００１】  本考案は、部材同士を締結するのに使用するねじに関し、特にねじが締付け済みであることが一目でわかるようにした締付け済み表示機能を有するねじ用キャップに関する。
【背景技術】
【０００２】  従来、建築や機械の製造などの分野では、部材同士の締結にボルトやビスなど、多数のねじが使用されている。その場合、ねじの締め忘れを防止するために、ねじの締付け後、そのねじの頭部などに塗料を塗布して、締付けが完了していることを示す目印とすることが行われている。このようにすることにより、いまだ締付けが完了していないねじとの区別が明確になるので、多数のねじを使用する分野でも、ねじの締め忘れを確実に防止することができる。【０００３】  しかしながら、上記の場合、ねじの締付け作業のほか、さらにそのねじに塗料を塗布する作業が必要となるので、その分手数がかかることになり、そのため建築工事費や機械の製造費などがアップする要因となっていた。【０００４】  そこで上記した問題を解決する手段として、本出願人は、先に締付け済み表示機能を有するねじを提案し出願をした。
この締付け済み表示機能を有するねじは、上面中央にねじ締付工具嵌入用角孔が穿設された頭部を有するねじにおいて、頭部の角孔中心に、軸状の突起部が角孔の底面より軸心方向に設けられると共に、締付済み表示用の薄板体が用いられ、この薄板体がその中心に設けられた孔に前記突起部が差し込まれることによって角孔の底面より高く浮上した状態で位置保持される一方、この薄板体はねじ締付けの際に角孔に嵌入される締付工具により押圧されたとき、前記突起部により打ち抜かれて角孔の底面へ押し込まれるようになされたものである。
そして、この締付け済み表示機能付きねじによれば、締付工具をねじ頭部の角孔に嵌入してねじを締付けることにより、薄板体が角孔の上部から底面に押し込まれることになり、この移動変化によりねじが締付け済みとなっていることを目視で確認できようにしたものである。
【特許文献】
【０００５】
【特許文献１】実用新案登録第３０１９０２３号
【考案の概要】
【考案が解決しようとする課題】
【０００６】  しかし、上記した締付け済み表示機能を有するねじにあっては、ねじ頭部の角孔中心に軸状の突起部を特別に突設する必要があり、また締付工具の先端中央にも突起部挿入用の凹部を特別に形成する必要があった。そのため、ねじと締付工具の構造が共に複雑となりかつ全体としてのコストが高価となるものであった。また、薄板体はその中心に設けられた孔に突起部の先端が差し込まれただけの取付けで保持される構成であるため、薄板体の外周部分に何らかの外力がかかった場合薄板体が突起部の先端から不用意に外れ落ちるといったことがあり、さらに、角孔の上部位置に扁平状薄板体が多角の口部を隠すように位置することから、締付工具の角孔への嵌込み作業が行いにくいものであった。その上、ねじ締付け後には、薄板体全体が扁平状態のまま角孔の底面まで押し込まれてしまうことになるので、正面からではなく斜め方向から目視した場合、角孔の底面に位置する薄板体を確認しづらいといった現象も生じていた。【０００７】  そこで、本考案は、上記した従来の欠点を解決するために考案したもので、締付け済み表示機能を有するねじ専用のキャップを考案して、このキャップをねじの使用前においては、ねじ頭部の角孔への嵌合いにより頭部上面に装着することができ、しかも、締付工具をねじ頭部の角孔に挿入する際に、締付工具と一緒にキャップ全体を角孔の奥部へ挿入することができ、さらに、締付工具をねじ頭部の角孔から抜き出したときには、キャップが角孔の奥部に有底筒状で立体面的に押し込まれたまま残されていて、正面だけでなく斜め方向から目視した場合についても幅広く目視で容易に確認することができて締付け済みであることが判る締付け済み表示機能を有するねじ用キャップの提供を課題とする。
【課題を解決するための手段】
【０００８】  本考案は、外周面にねじ溝１ａが形成された軸部１と、上面中央にねじ締付工具嵌入用角孔３が穿設された頭部２とからなるねじのための締付け済み表示機能を有するねじ用キャップであって、ねじ頭部２の角孔３に嵌合可能で上面中央にねじ締付工具嵌入用角凹部１０ｂが形成された角形嵌合部１０ａと、角形嵌合部１０ａの上端から半径方向外方に延びる一体の鍔部１０ｃとからなり、このキャップ１０は、角形嵌合部１０ａがねじ頭部２の角穴３に嵌め込まれることによって、鍔部１０ｃがねじ頭部２の上面に当接する状態で保持される一方、該キャップ１０は、ねじ締付けの際に角孔３に嵌入される締付工具２０により上記角凹部１０ｂを介して押圧されたとき、キャップの全体が角孔３の奥部へ押し込み可能となるようにエラストマー樹脂素材にて形成されていることを特徴とする。
【考案の効果】
【０００９】  本考案の締付け済み表示機能を有するねじ用キャップ１０によれば、上記した構成により、キャップ１０をねじの使用前においては、ねじ頭部２の角孔３への嵌合いにより頭部上面に装着することができ、しかも、締付工具２０をねじ頭部２の角孔３に挿入する際には、締付工具２０と一緒にキャップ全体を有底筒状で立体面的に角孔３の奥部へ挿入することができ、かつ、締付工具２０をねじ頭部２の角孔３から抜き出したときには、キャップ１０が角孔３の奥部に有底筒状で立体面的に押し込まれたまま残されていて、正面だけでなく斜め方向から目視した場合についても目視で迅速容易に確認することができて締付け済みであることが判る。また、本考案のキャップ１０によれば、既存のねじに直接取付けて使用することができ、これにより前述した従来例のねじのように、ねじ頭部の角穴内に特設していた軸状の突起部や、締付工具の先端中央に設ける突起部挿入用凹部などを不要にできる。
【図面の簡単な説明】
【００１０】
【図１】本考案キャップをボルトに装着した場合の中央縦断面図である。
【図２】図１の平面図である。
【図３】本考案キャップの正面図である。
【図４】同キャップの側面図である。
【図５】同キャップの底面図である。
【図６】ボルトの締付け状態を示す一部縦断面図である。
【図７】本考案キャップを皿頭形ビスに装着した場合の平面図である。
【図８】本考案キャップを丸頭形ビスに装着した場合の平面図である。
【考案を実施するための形態】
【００１１】  以下本考案に係る締付け済み表示機能を有するねじ用キャップの実施例を図に基づいて説明する。
【００１２】  まず、図１及び図２は、本考案に係る締付け済み表示機能を有するねじ用キャップ１０を装着したボルト（ねじ）Ａを示す。１はその軸部で、外周にはほぼ全長にわたりねじ溝１ａが形成されている。２は頭部で、外周面は円形に形成されている。３は頭部２の上面中央に設けたねじ締付工具嵌入用角孔で、図では六角形状のものを示している。なお、この角孔３は、六角形状に限定されものではなく他の多角形状に形成して実施してもよい。
【００１３】  次に、本考案の締付け済み表示機能を有するねじ用キャップ１０は、図３〜図５に示すように、ボルト頭部２の角孔３に嵌合可能な底面視六角形状で上面中央に締付工具嵌入用角凹部１０ｂ（図では六角形状）が形成された角形嵌合部１０ａと、各形嵌合部１０ａの上端から一体に半径方向に延びる円形状の鍔部１０ｃとからなり、かつ、断面視形状が逆ハット形を呈している。
そして、このキャップ１０はその角形嵌合部１０ａがねじ１０における頭部２の角穴３に嵌め込まれることによって、鍔部１０ｃがねじ頭部２の上面に当接する状態で装着保持される。また、このキャップ１０は、ねじ締付けの際に角孔３に嵌入される締付工具２０により角形嵌合部１０ａの締付工具嵌入用角凹部１０ｂを介して角孔３の奥部に押圧されたとき、図６に示すようにキャップ１０全体が角孔３の奥部へ有底筒状で立体面的に押し込み可能となるように柔らかい特性を有するエラストマー樹脂素材にて形成されている。
【００１４】  また、キャップ１０はボルトＡとは異なる色彩、例えば黄色にして使用するとよい。ここでエラストマー樹脂素材は、成型が容易で成型後において柔らかくまた着色にも優れているといった性質を有している。
なお、図に示す実施例では、角形嵌合部１０ａにおける角筒部分の肉厚を底部や鍔部１０ｃの肉厚よりも厚く形成して、常時においては角形嵌合部１０ａの形が適切に保持できるようにしている。また、鍔部１０ｃの形状は、実施例のように円板形状に限定されるものではなく、使用するねじの形状に合わせて適宜変更してもよい。さらに、例えば鍔部１０ｃに放射状に延びるスリット溝などを適宜形成してより変形し易くなるように構成してもよい。
【００１５】  次に、本考案の締付け済み表示機能を有するねじ用キャップ１０を備えたボルトＡの作用について説明する。
【００１６】  ボルトＡにより例えば二つの部材３０，４０を締結するには、図６に示すように、ボルトＡの軸部１を、部材３０を貫挿して部材４０に螺入し、その後、ボルトＡを締付け、部材３０，４０を締結する。その場合、締付工具２０を、角形嵌合部１０ａの工具嵌入用角凹部１０ｂに位置合わせしてその工具嵌入用角凹部１０ｂ内に差し込みながら角孔３へ嵌入する。これにより、柔らかい特性を有するエラストマー樹脂素材からなるキャップ１０は締付工具２０にて押圧されて弾性変形しながらその全体が図６に示すように角孔３の奥部へ有底筒状で立体面的に押し込まれることになる。つまり、キャップ１０は弾性変形しながらその各形嵌合部１０ａとこれに続く鍔部１０ｃとが角孔３奥部の底面部分と底面周りの内側面部分とにわたって有底筒状で立体面的に押し込まれることになる。そして、その押し込み状態のまま締付工具２０の回転操作によりボルトＡによる締付けが行われる。
【００１７】  また、締付け後は、締付工具２０を角孔３及びキャップ１０から抜き出しても、キャップ１０は角孔３の奥部に有底筒状で立体面的に押し込まれたまま残ることになるので、その状態を目で確認することにより、ボルトＡが締付け済みとなっていることが判る。その場合、正面だけでなく斜め方向から目視した場合についても、角孔３の奥部のキャップ１０をより一層迅速容易に目視確認することができて締付け済みであることが判る。
【００１８】  なお、ボルトＡの締付けに使用する締付工具２０は、図に示した手動式のレンチによるほか、電動式のものでもよい。また、締付工具２０としては、キャップ１０を上述したように角孔３の奥部内に押し込むことができ、かつ、その押し込み状態でボルトＡの締め付け機能を発揮するサイズのものを使用する。
【００１９】  さらに、上記した実施例では、使用するねじをボルトＡとして構成した場合について説明したが、例えば図６に示す皿頭形ビスＢとして、または図７に示す丸頭形ビスＣとして構成しても、同様に実施できることは勿論である。
【符号の説明】
【００２０】Ａ        ボルト
Ｂ        皿頭形ビス
Ｃ        丸頭形ビス
１        軸部
１ａ      ねじ溝
２        頭部
３        角孔
１０        締付け済み表示機能を有するねじ用キャップ
１０ａ      凹形嵌合部
１０ｂ      締付工具嵌入用角凹部
１０ｃ      鍔部
２０      締付工具
【図１】
0003232778.tif 000003
【図２】
0003232778.tif 000004
【図３】
0003232778.tif 000005
【図４】
0003232778.tif 000006
【図５】
0003232778.tif 000007
【図６】
0003232778.tif 000008
【図７】
0003232778.tif 000009
【図８】
0003232778.tif 000010